(57)【要約】【課題】  被検者が眼鏡やコンタクトを装着していない状態でも眼前の光景中の視標等を容易に視認することができ、眼鏡やコンタクトによって、光の反射や撮像に歪みを生じることのない眼球運動検査用ゴーグルを提供すること。【解決手段】  被検者の顔面に装着され、ハーフミラー４と、このハーフミラー４に反射した被検者の眼球Ｇを撮影する撮像素子５とを内蔵してなる眼球運動検査用ゴーグル１において、被検者の眼球Ｇの前方に光学レンズ１０が着脱自在に備えられてなることを特徴とする。【選択図】図１
2006263343.tif 000002
【特許請求の範囲】
【請求項１】
被検者の顔面に装着され、
ハーフミラーと、このハーフミラーに反射した被検者の眼球を撮影する撮像素子とを内蔵してなる眼球運動検査用ゴーグルにおいて、
光学レンズが着脱自在に備えられてなることを特徴とする眼球運動検査用ゴーグル。
【請求項２】
前記光学レンズが、撮像素子による眼球の撮像経路よりも外側にあることを特徴とする請求項１記載の眼球運動検査用ゴーグル。
【請求項３】
前記光学レンズの設置位置が調整可能であることを特徴とする請求項１又は請求項２記載の眼球運動検査用ゴーグル。
【請求項４】
前記光学レンズは、左右の眼球に対応して複数備えられていることを特徴とする請求項１〜３のいずれかに記載の眼球運動検査用ゴーグル。
【発明の詳細な説明】
【技術分野】
【０００１】
本発明は、眼球運動検査用ゴーグルに関するものであり、詳しくは、耳鼻咽喉科や神経内科等の医療機関等で使用される眼球運動検査用ゴーグルに関するものである。
【背景技術】
【０００２】
従来より、眼球運動の検査を行うことによって、平衡感覚に異常をきたす要因の調査や、視覚機能の検査ができることが知られている。
【０００３】
このような眼球運動の検査においては、例えば図６に示すようなハーフミラー３１と撮像素子（図示せず）が内蔵され、前方に開口した観察口３２が設けられた眼球運動検査用ゴーグル３０が用いられている。被検者はこのハーフミラー３１を通して眼前の光景を見るとともに、ハーフミラー３１に反射した被検者の眼球を撮像素子により撮影するようになっている（特許文献１参照）。
【特許文献１】特開平１１−３３２８３０号公報
【発明の開示】
【発明が解決しようとする課題】
【０００４】
しかしながら、従来の眼球運動検査用ゴーグル３０を用いた眼球運動検査においては、被検者が眼鏡やコンタクトを装着した状態で検査を実施すると、眼鏡やコンタクトによって周囲の光源等からの光が反射されたり、撮像に歪みを生じたりする場合があった。
【０００５】
これを防ぐために、被検者は眼鏡やコンタクトを装着しない状態で検査を行うようにしており、このため、例えば、眼前の光景中に視標を表示し、この視標を目視することにより行う眼球運動検査においては、被検者は眼鏡やコンタクトを装着していない状態で視標を目視する必要があるため、視力の低い被検者にとっては視標が見辛く負担となるものであった。
【０００６】
本発明は、かかる事由に鑑みてなしたもので、その目的とするところは、被検者が眼鏡やコンタクトを装着していない状態でも眼前の光景中の視標等を容易に視認することができ、眼鏡やコンタクトによって、光の反射や撮像に歪みを生じることのない眼球運動検査用ゴーグルを提供することにある。
【課題を解決するための手段】
【０００７】
上記課題を解決するために、本発明の請求項１に係る眼球運動検査用ゴーグルは、被検者の顔面に装着され、ハーフミラーと、このハーフミラーに反射した被検者の眼球を撮影する撮像素子とを内蔵してなる眼球運動検査用ゴーグルにおいて、光学レンズが着脱自在に備えられてなることを特徴とする。
【０００８】
請求項２に係る眼球運動検査用ゴーグルにおいては、前記光学レンズが、撮像素子による眼球の撮像経路よりも外側にあることを特徴とする。
【０００９】
請求項３に係る眼球運動検査用ゴーグルにおいては、前記光学レンズの設置位置が調整可能であることを特徴とする。
【００１０】
請求項４に係る眼球運動検査用ゴーグルにおいては、前記光学レンズが、左右の眼球に対応して複数備えられていることを特徴とする。
【発明の効果】
【００１１】
上記本発明の請求項１に係る眼球運動検査用ゴーグルによると、被検者が眼鏡やコンタクトを装着していない状態でも眼前の光景を容易に視認することができるので、視力等の低い被検者に対する負担を軽減することができる。
【００１２】
上記本発明の請求項２に係る眼球運動検査用ゴーグルによると、光学レンズが撮像素子による眼球の撮像経路よりも外側にあるので、上記効果に加えて、眼球の撮像の歪みを防ぐことができる。
【００１３】
上記本発明の請求項３に係る眼球運動検査用ゴーグルによると、光学レンズの設置位置が調整可能であるので、対象物に合わせて焦点距離を調整することができ、眼前の光景の視認性をさらに高めることができる。
【００１４】
上記本発明の請求項４に係る眼球運動検査用ゴーグルによると、光学レンズが左右の眼球に対応して複数備えられているので、左右の眼球の視力等に各々対応して光学レンズの種類や位置を調整することができ、眼前の光景の視認性をさらに高めることができる。
【発明を実施するための最良の形態】
【００１５】
本発明の実施形態における眼球運動検査用ゴーグル１は、図１に示すように、ゴーグル本体２と取付用ベルト３を備えている。ゴーグル本体２は、被検者の眼部周辺を覆うように装着され、取付用ベルト３により被検者の顔面に固定されるようになっている。
【００１６】
ゴーグル本体２の前面側には、観察口９が設けられており、観察口９を覆うようにして透明カバー６が着脱自在に取り付けられている。また、この透明カバー６のさらに前方には、遮蔽カバー７が着脱自在に取り付けられるようになっている。
【００１７】
また、ゴーグル本体２の上部にはゴーグルケーブル８が備えられており、外部機器（図示せず）と接続されてデータの送受信を行うことができるようになっている。
【００１８】
ゴーグル本体２の内部には、図２に示すように、ハーフミラー４と撮像素子５が備えられている。ここで、図示はしないが、ゴーグル本体２内部において撮像素子５はゴーグルケーブル８と接続されている。
【００１９】
ハーフミラー４は、下側にいくほど被検者の眼球Ｇから離れていくように、垂直方向から４５度傾斜した状態で設置されている。
【００２０】
ここで、被検者の眼球Ｇの前方には光学レンズ１０が着脱自在に設けられている。本実施形態においては、光学レンズ１０は被検者の眼球Ｇとハーフミラー４との間に位置するように設けられている。
【００２１】
このような光学レンズ１０としては、特に限定されるものではないが、例えば、平凸レンズ、フレネルレンズ等が挙げられ、これらを単独または複数を組み合わせて用いても良い。
【００２２】
このような眼球運動検査用ゴーグル１を被検者の顔面に装着し、被検者がハーフミラー４を通して眼前の光景を見ている状態で、ハーフミラー４に反射した被検者の眼球Ｇを撮像素子５により撮影することにより、めまい検査のような眼球運動検査を行うことができる。
【００２３】
以上のように、本実施形態においては被検者の眼球Ｇの前方に光学レンズ１０が設けられているので、被検者が眼鏡やコンタクトを装着していない状態でも眼前の光景を容易に視認することができるので、視力等の低い被検者に対する負担を軽減することができる。また、眼鏡やコンタクトによって撮像に歪みを生じるのを防止することができる。
【００２４】
また、図３に示すように、光学レンズ１０を撮像素子５による眼球Ｇの撮像経路よりも外側に位置するように設けてもよい。ここで撮像経路とは、眼球Ｇの像が眼球Ｇから撮像素子５に到達するまでの経路のことをいうものである。本実施形態においては、眼球Ｇからハーフミラー４を経由して撮像素子５を結ぶ経路のことであり、図３中には破線で示している。
【００２５】
こうすることにより、光学レンズ１０を介さずに撮像素子５によって眼球Ｇを撮影することができるので、眼球の撮像の歪みをさらに防ぐことができる。
【００２６】
また、図４に示すように、光学レンズ１０の設置位置を調整可能としてもよい。光学レンズ１０の位置を調整可能とする方法としては、例えば、スライド式の可動台（図示せず）に固定する方法が挙げられる。
【００２７】
こうすることにより、対象物に合わせて焦点距離を調整することができるので、眼前の光景の視認性をさらに高めることができる。
【００２８】
また、図５に示すように、光学レンズ１０を、左右の眼球Ｇに対応して複数備えるとともに、各光学レンズ１０の位置を個別に調整可能としてもよい。本実施形態においては、光学レンズ１０を左右２箇所に設けている。
【００２９】
こうすることにより、左右の眼球Ｇの視力等に各々対応して光学レンズ１０の種類や位置を調整することができ、眼前の光景の視認性をさらに高めることができる。
【００３０】
また、本実施形態における眼球運動検査用ゴーグル１は、透明カバー６のさらに外側に遮蔽カバー７を取り付けるとともに、ゴーグル本体２内部に凹面レンズ（図示せず）と、この凹面レンズに映像を映し出す映像出力機器（図示せず）等を取り付けることにより、刺激映像提示機能付ビデオ眼振計としても使用することができる。
【００３１】
また、本発明における眼球運動検査用ゴーグル１は、例えば、フレンツェル眼鏡にも適用することができる。
【図面の簡単な説明】
【００３２】
【図１】本発明の実施形態における眼球運動検査用ゴーグル１の斜視図である。
【図２】同実施形態におけるゴーグル本体２の内部を、（ａ）側方からみた透視図であり、（ｂ）上方からみた透視図である。
【図３】本発明の別の実施形態におけるゴーグル本体２の内部を、（ａ）側方からみた透視図であり、（ｂ）上方からみた透視図である。
【図４】本発明の別の実施形態におけるゴーグル本体２の内部を、（ａ）側方からみた透視図であり、（ｂ）上方からみた透視図である。
【図５】本発明の別の実施形態におけるゴーグル本体２の内部を、（ａ）側方からみた透視図であり、（ｂ）上方からみた透視図である。
【図６】従来の眼球運動検査用ゴーグル３０の斜視図である。
【符号の説明】
【００３３】
１  眼球運動検査用ゴーグル
２  ゴーグル本体
３  取付用ベルト
４  ハーフミラー
５  撮像素子
６  透明カバー
１０  光学レンズ
【図１】
2006263343.tif 000003
【図２】
2006263343.tif 000004
【図３】
2006263343.tif 000005
【図４】
2006263343.tif 000006
【図５】
2006263343.tif 000007
【図６】
2006263343.tif 000008